(57)【要約】      （修正有）【課題】簡単な構造を有し、使用しやすい拡管装置を提供する。【解決手段】拡管装置は、主体１０、押圧ハンドル２０、拡管部材３０及びリンクを含む。主体は、基部１１及びハンドル部１２を含み、基部にスライド孔が穿設されて第１枢着部を有する。押圧ハンドルは、枢着端２１及び押圧端２２を有し、枢着端が第１枢着部に枢着される第２枢着部を有し、第３枢着部をさらに有する。拡管部材は、スライド孔内に設けられ、スライド部及びテーパ状部を含み、テーパ状部がスライド孔の外に延び、テーパ状部の外径が外方にテーパ状に縮径し、スライド部が第４枢着部を有する。リンクは、押圧ハンドルと拡管部材との間に設けられ、両端が第３及び第４枢着部にそれぞれ枢着される。押圧端をハンドル部に接近させると、枢着端は、リンクを介して拡管部材を押圧ハンドルから離れる方向にスライドさせ、テーパ状部をスライド孔の外に突出させる。【選択図】図１
0003227850.tif 000002
【実用新案登録請求の範囲】
【請求項１】
拡管装置であって、
主体、押圧ハンドル、拡管部材及びリンクを含み、
前記主体は、基部及び前記基部から外方に伸びるハンドル部を含み、前記基部にスライド孔が穿設され、前記スライド孔の中心軸の延長線で中心軸線を定義し、前記基部が第１枢着部を有し、
前記押圧ハンドルは、両端がそれぞれ枢着端及び押圧端であり、前記枢着端が第２枢着部を有し、前記第２枢着部と前記第１枢着部とが互いに枢着され、前記枢着端が第３枢着部をさらに有し、
前記拡管部材は、前記スライド孔にスライド可能に設けられ、スライド部及びテーパ状部を含み、前記テーパ状部が前記スライド部の前記押圧ハンドルと反対する一端に位置して前記スライド孔の外に延び、前記テーパ状部の外径が前記スライド部から離れる方向に縮径になってテーパ状をなし、前記スライド部が第４枢着部を有し、
前記リンクは、前記押圧ハンドルの枢着端と前記拡管部材のスライド部との間に設けられ、かつ両端が前記第３枢着部及び前記第４枢着部にそれぞれ枢着され、
ここで、前記押圧ハンドルの押圧端が前記主体のハンドル部に接近するように枢動すると、前記枢着端は、前記リンクを介して前記拡管部材を前記押圧ハンドルから離れる方向にスライドさせ、前記テーパ状部を前記スライド孔の外にさらに突出させる。
ことを特徴とする拡管装置。
【請求項２】
前記押圧ハンドルの枢着端は、２つの側板を有し、前記２つの側板の間には、前記リンクの一端が挿入される嵌入溝が囲まれて形成され、前記２つの側板と前記リンクとは互いに枢着される
ことを特徴とする請求項１に記載の拡管装置。
【請求項３】
前記主体の基部には、前記押圧ハンドルの枢着端の側に向けて前記スライド孔と連通する溝が開設され、前記押圧ハンドルの前記２つの側板は、前記溝に挿設されて前記溝の両側壁と互いに枢着して設けされる
ことを特徴とする請求項２に記載の拡管装置。
【請求項４】
前記拡管部材のスライド部には、前記リンクの側に向けて収容溝が開設され、前記リンクの一端は、前記収容溝に挿設されて前記収容溝の両側壁と互いに枢着して設けされる
ことを特徴とする請求項１に記載の拡管装置。
【請求項５】
前記主体の前記押圧ハンドルに面する側にはネジ孔が凹設され、調整ネジは、前記ネジ孔に螺合されて前記ネジ孔の外に位置する一端に前記押圧ハンドルが当接され、調整ネジを捩じることにより、前記調整ネジが前記ネジ孔の外に突出する長さを調整する
ことを特徴とする請求項１に記載の拡管装置。
【請求項６】
前記主体の前記押圧ハンドルに面する側には突起が突設され、前記ネジ孔は前記突起に凹設される
ことを特徴とする請求項５に記載の拡管装置。
【請求項７】
前記第１枢着部と前記第２枢着部の枢支軸の延長線は、前記中心軸線を通らない
ことを特徴とする請求項１〜６のいずれか１項に記載の拡管装置。
【請求項８】
前記リンクの前記ハンドル部に近い側には第１凹部が凹設され、前記リンクの前記ハンドル部と反対する側には第２凹部が凹設され、前記第２凹部は、前記第１凹部よりも前記押圧ハンドルの枢着端に近い
ことを特徴とする請求項１〜６のいずれか１項に記載の拡管装置。
【請求項９】
前記第１枢着部と前記第２枢着部の枢支軸は、前記中心軸線を通らず、前記リンクの前記ハンドル部に近い側には第１凹部が凹設され、前記リンクの前記ハンドル部と反対する側には第２凹部が凹設され、前記第２凹部は、前記第１凹部よりも前記押圧ハンドルの枢着端に近く、前記拡管部材のスライド部には、前記リンクの側に向けて収容溝が開設され、前記リンクの一端は、前記収容溝に挿設されて前記収容溝の両側壁と互いに枢着して設けされ、前記主体の前記押圧ハンドルに面する側にはネジ孔が凹設され、調整ネジは、前記ネジ孔に螺合されて前記ネジ孔の外に位置する一端に前記押圧ハンドルが当接され、調整ネジを捩じることにより、前記調整ネジが前記ネジ孔の外に突出する長さを調整し、前記主体の前記押圧ハンドルに面する側には突起が突設され、前記ネジ孔は前記突起に凹設され、前記主体は、ネジスリーブをさらに含み、前記ネジスリーブには前記スライド孔が穿設され、前記ネジスリーブの一端は雄ネジを有し、前記主体の基部には貫通孔が穿設され、前記貫通孔の前記押圧ハンドルから離れる一端は雌ネジを有し、前記ネジスリーブは、その雄ネジで前記貫通孔の雌ネジに螺合され、前記ネジスリーブの前記押圧ハンドルから離れる一端は雄ネジをさらに有し、前記押圧ハンドルはＬ字形をなし、前記中心軸線は、前記第１枢着部の枢支軸の延長線と前記ネジ孔との間に位置する
ことを特徴とする請求項３に記載の拡管装置。
【考案の詳細な説明】
【技術分野】
【０００１】
本考案は、拡管装置に関する。
【背景技術】
【０００２】
一般に、管材同士を接続する時、そのうちの一方の管材の一端に拡管作業を行ってその端部の内径を拡張させ、他方の管材を拡管箇所に挿入し、さらに管材接続の作業を行う。管材の端部を拡張するには、通常、拡管装置を用いて作業が行われる。
【０００３】
拡管装置の構造原理の種類は多様であり、そのうちの１つは、管材の端部を拡管継手に外嵌し、その拡管継手が外径方向に移動可能な複数の部材からなり、これらの部材の内壁が斜めになってテーパ状の空間を形成し、さらに拡管継手を拡管装置に外嵌するものであり、特許文献ＵＳ  ９５５５５７７又はＵＳ  ６６７２１２８に開示されているように、拡管装置は、スライド可能なテーパ状の拡管部材を有し、拡管部材がテーパ状の空間内をスライドする時、拡管継手の部材を外方に押して管材を拡張させることができる。
【０００４】
ここで、テーパ状の拡管部材をスライド駆動する機構も種々のものがあり、例えば、特許文献ＵＳ  ９５５５５７７では、ピストンの前後移動により拡管部材を動かして移動させるが、この構造は、通常、付加的な動力源を組み合わせる必要があり、手動だけでピストンを容易に押すことができない。特許文献ＵＳ  ６６７２１２８によれば、歯車と歯列で拡管部材を動かして移動させ、特許文献ＵＳ  ９５５５５７７に対して省力的であるが、歯車等の部材は、経時的に摩耗しやすく、かつ製造も容易ではない。
【考案の概要】
【考案が解決しようとする課題】
【０００５】
本考案の主な目的は、簡単な構造を有し、製造しやすく、使用に手間がかからない拡管装置を提供することである。
【課題を解決するための手段】
【０００６】
上記の目的を達成するために、本考案は、主体、押圧ハンドル、拡管部材及びリンクを含む拡管装置を提供する。
【０００７】
主体は、基部及び前記基部から外方に伸びるハンドル部を含み、前記基部にスライド孔が穿設され、前記スライド孔の中心軸の延長線で中心軸線を定義し、前記基部が第１枢着部を有し、押圧ハンドルは、両端がそれぞれ枢着端及び押圧端であり、前記枢着端が第２枢着部を有し、前記第２枢着部と前記第１枢着部とが互いに枢着され、前記枢着端が第３枢着部をさらに有し、拡管部材は、前記スライド孔にスライド可能に設けられ、スライド部及びテーパ状部を含み、前記テーパ状部が前記スライド部の前記押圧ハンドルと反対する一端に位置して前記スライド孔の外に延び、前記テーパ状部の外径が前記スライド部から離れる方向に縮径になってテーパ状をなし、前記スライド部が第４枢着部を有し、リンクは、前記押圧ハンドルの枢着端と前記拡管部材のスライド部との間に設けられ、かつ両端が前記第３枢着部及び前記第４枢着部にそれぞれ枢着され、ここで、前記押圧ハンドルの押圧端が前記主体のハンドル部に接近するように枢動すると、前記枢着端は、前記リンクを介して前記拡管部材を前記押圧ハンドルから離れる方向にスライドさせ、前記テーパ状部を前記スライド孔の外にさらに突出させる。
【図面の簡単な説明】
【０００８】
【図１】本考案の斜視図である。
【図２】本考案の分解斜視図である。
【図３】本考案の断面図である。
【図４】本考案の他の角度の断面図である。
【図５】本考案の使用の模式図である。
【図６】本考案の調整の模式図である。
【図７】本考案の調整の模式図である。
【考案を実施するための形態】
【０００９】
以下、考案の可能な実施形態を実施例のみで説明するが、本考案の保護範囲を制限するものではないことを事前に説明する。
【００１０】
図１〜図７を参照し、本考案は、主体１０、押圧ハンドル２０、拡管部材３０及びリンク４０を含む拡管装置を提供する。
【００１１】
この主体１０は、基部１１及びこの基部１１から外方に伸びるハンドル部１２を含み、この基部１１にスライド孔１３１が穿設され、このスライド孔１３１の中心軸の延長線で中心軸線を定義し、この基部１１が第１枢着部を有する。この押圧ハンドル２０は、両端がそれぞれ枢着端２１及び押圧端２２（好ましくは、この押圧ハンドル２０が略Ｌ字形をなし）であり、この枢着端２１が第２枢着部を有し、この第２枢着部とこの第１枢着部とが互いに枢着され、この枢着端２１が第３枢着部をさらに有する。この拡管部材３０は、このスライド孔１３１内にスライド可能に設けられ、スライド部３１及びテーパ状部３２を含み、このテーパ状部３２がこのスライド部３１のこの押圧ハンドル２０と反対する一端に位置してこのスライド孔１３１の外に延び、このテーパ状部３２の外径がこのスライド部３１から離れる方向に縮径になってテーパー状をなし、このスライド部３１が第４枢着部を有する。このリンク４０は、この押圧ハンドル２０の枢着端２１とこの拡管部材３０のスライド部３１との間に設けられ、かつ両端がこの第３枢着部及びこの第４枢着部にそれぞれ枢着される。ここで、この押圧ハンドル２０の押圧端２２がこの主体１０のハンドル部１２に接近するように枢動すると、この枢着端２１は、このリンク４０を介してこの拡管部材３０をこの押圧ハンドル２０から離れる方向にスライドさせ、このテーパ状部３２をこのスライド孔１３１の外にさらに突出させる。
【００１２】
本実施例において、この第１枢着部とこの第２枢着部の枢支軸２３の延長線は、この中心軸線を通らず、すなわち、この主体１０とこの押圧ハンドル２０との枢着箇所は、この拡管部材３０の移動方向の延長線上にない。好ましくは、このリンク４０のこのハンドル部１２に近い側には第１凹部４１が凹設され、このリンク４０のこのハンドル部１２と反対する側には第２凹部４２が凹設され、この第２凹部４２は、この第１凹部４１よりもこの押圧ハンドル２０の枢着端２１に近く、このリンク４０を略Ｓ字形にする。より好ましくは、この第１凹部４１は、このリンク４０のほぼ中央に位置する。
【００１３】
具体的には、この押圧ハンドル２０の枢着端２１は、２つの側板２１１を有し、この２つの側板２１１の間は、このリンク４０の一端が挿入される嵌入溝２１２が囲まれて形成され、この２つの側板２１１とこのリンク４０とは互いに枢着され、この主体１０の基部１１には、この押圧ハンドル２０の枢着端２１の側に向けてこのスライド孔１３１と連通する溝１１１が開設され、この押圧ハンドル２０のこの２つの側板２１１には、この溝１１１に挿設されてこの溝１１１の両側壁と互いに枢着して設けされ、この拡管部材３０のスライド部３１には、このリンク４０の側に向けて収容溝３１１が開設され、このリンク４０の一端は、この収容溝３１１に挿設されてこの収容溝３１１の両側壁と互いに枢着して設けされる。
【００１４】
このスライド孔１３１に関し、具体的には、本実施例において、この主体１０は、ネジスリーブ１３をさらに含み、このネジスリーブ１３にはこのスライド孔１３１が穿設され、このネジスリーブ１３の一端は雄ネジを有し、この主体１０の基部１１には貫通孔１１２が穿設され、この貫通孔１１２のこの押圧ハンドル２０から離れる一端は雌ネジを有し、このネジスリーブ１３は、その雄ネジでこの貫通孔１１２の雌ネジに螺合され、このネジスリーブ１３のこの押圧ハンドル２０から離れる一端は、拡管継手６０を螺合するための雄ネジをさらに有する。
【００１５】
一方、拡管部材３０の最大スライド距離を調整するために、押圧ハンドル２０の最大押圧距離を調整する必要があり、そのため、この主体１０のこの押圧ハンドル２０に面する側にネジ孔１１３１が凹設され、調整ネジ５０は、このネジ孔１１３１に螺合されてこのネジ孔１１３１の外に位置する一端にこの押圧ハンドル２０が当接され、調整ネジ５０を捩じることにより、この調整ネジ５０がこのネジ孔１１３１の外に突出する長さを調整する。好ましくは、この主体１０のこの押圧ハンドル２０に面する側には突起１１３が突設され、このネジ孔１１３１はこの突起１１３に凹設され、また、この中心軸線は、この第１枢着部の枢支軸の延長線とこのネジ孔１１３１との間に位置する。この調整ネジ５０が比較的内側に圧縮され、さらに押圧ハンドル２０がこの突起１１３に直接当接できるように完全に内側に圧縮されると、図６に示すように、押圧ハンドル２０の最大押圧距離が長くなり、この拡管部材３０の最大スライド距離が長くなり、逆に、調整ネジ５０を突出させると、図７に示すように、押圧ハンドル２０の最大押圧距離が短くなり、この拡管部材３０の最大スライド距離が短くなり、このように異なる寸法の拡管継手に合わせる。
【００１６】
実際に使用する時、一般に知られている拡管継手６０がこのネジスリーブ１３の外に螺合されて固定され、ここで、この拡管継手６０が径方向の外方に拡張可能な部材を含み、かつ部材の内壁がテーパ状の空間を囲み、これにより、この拡管部材３０のテーパ状部３２がこのテーパ状の空間に押し込まれると、これらの部材が徐々に外方に押し出されることにより、部材の外に篏設された管材の内径を拡張する効果を達成する。
【００１７】
以上のように、本考案が提供する拡管装置は、非常にシンプルな構を有し、製造しやすく、かつリンク駆動の機構が省力で円滑であり、部品が破損しにくく、また、押圧ハンドルの最大押圧距離を調整することにより、異なるサイズの仕様の拡管継手に合わせるように拡管部材の最大移動距離を調整し、進歩が著しい。
【符号の説明】
【００１８】
１０    主体
１１    基部
１１１    溝
１１２    貫通孔
１１３    突起
１１３１    ネジ孔
１２    ハンドル部
１３    ネジスリーブ
１３１    スライド孔
２０    押圧ハンドル
２１    枢着端
２１１    側板
２１２    嵌入溝
２２    押圧端
２３    枢支軸
３０    拡管部材
３１    スライド部
３１１    収容溝
３２    テーパ状部
４０    リンク
４１    第１凹部
４２    第２凹部
５０    調整ネジ
６０    拡管継手
【図１】
0003227850.tif 000003
【図２】
0003227850.tif 000004
【図３】
0003227850.tif 000005
【図４】
0003227850.tif 000006
【図５】
0003227850.tif 000007
【図６】
0003227850.tif 000008
【図７】
0003227850.tif 000009